(57)【要約】      （修正有）【課題】支持対象物（スプレーガンのエアホース）を支持部（操作者の腕）に容易に取り付けることができる取付具を提供する。【解決手段】取付具１０は、バンド部１６と固定ヘッド部１８と可動ヘッド部２０とを備える。固定ヘッド部１８は、バンド部がエアホース１４の周囲に沿う第１環状部Ｒ１を構成するように曲げられた後に先端部１６ｂから挿通される第１貫通孔２４を有している。可動ヘッド部２０は、バンド部が先端部から挿通される第２貫通孔３４、及び第２貫通孔から引き出されたバンド部が腕Ｎの周囲に沿う第２環状部Ｒ２を構成するように曲げられた後に先端部から挿通される第３貫通孔３６を有している。さらに、可動ヘッド部は、第３貫通孔においてバンド部が挿通方向とは反対方向へ移動することを阻止する第１ロック部４０を有している。【選択図】図２
0003216264.tif 000002
【実用新案登録請求の範囲】
【請求項１】
支持対象物を支持部に取り付けるための取付具であって、
可撓性を有する細長い線状のバンド部と、
前記バンド部の基端部に設けられた固定ヘッド部と、
前記バンド部の基端部と先端部との間に前記バンド部の長さ方向において位置調整可能に設けられた可動ヘッド部とを備え、
前記固定ヘッド部は、前記バンド部が前記支持対象物および前記支持部の一方の周囲に沿う第１環状部を構成するように曲げられた後にその先端部から挿通される第１貫通孔を有しており、
前記可動ヘッド部は、前記第１貫通孔から引き出された前記バンド部がその先端部から挿通される第２貫通孔と、前記第２貫通孔から引き出された前記バンド部が前記支持対象物および前記支持部の他方の周囲に沿う第２環状部を構成するように曲げられた後にその先端部から挿通される第３貫通孔と、前記第３貫通孔において前記バンド部が挿通方向とは反対方向へ移動することを阻止する第１ロック部とを有している、取付具。
【請求項２】
前記バンド部の表面には、複数の引っ掛かり部が長さ方向に連続的に並べて形成されており、
前記第１ロック部は、前記複数の引っ掛かり部のいずれかに引っ掛かる第１ロック爪を有している、請求項１に記載の取付具。
【請求項３】
前記固定ヘッド部は、前記第１貫通孔において前記バンド部が挿通方向とは反対方向へ移動することを阻止する第２ロック部を有しており、
前記第２ロック部は、前記複数の引っ掛かり部のいずれかに引っ掛かる第２ロック爪を有している、請求項２に記載の取付具。
【請求項４】
前記可動ヘッド部は、前記第２貫通孔において前記バンド部が挿通方向とは反対方向へ移動することを阻止する第３ロック部を有しており、
前記第３ロック部は、前記複数の引っ掛かり部のいずれかに引っ掛かる第３ロック爪を有している、請求項２または３に記載の取付具。
【請求項５】
前記第２貫通孔の横断面のサイズは、前記バンド部が挿通方向およびその反対方向へ移動することを許容するように前記バンド部の横断面のサイズよりも十分に大きくされている、請求項１または２に記載の取付具。
【請求項６】
前記第１貫通孔の横断面のサイズは、前記バンド部が挿通方向およびその反対方向へ移動することを許容するように前記バンド部の横断面のサイズよりも十分に大きくされている、請求項１または２に記載の取付具。
【請求項７】
前記支持対象物は、スプレーガンに圧縮空気を供給するためのエアホースであり、
前記支持部は、前記スプレーガンを操作する操作者の腕である、請求項1ないし６のいずれか１項に記載の取付具。
【考案の詳細な説明】
【技術分野】
【０００１】
本考案は、支持対象物を支持部に取り付けるための取付具に関する。
【背景技術】
【０００２】
図１０は、一般的なスプレーガン１の使用状態を示す正面図である。スプレーガン１は、塗装対象物（図示省略）に向けて塗料Ｗを吹き付けるものであり、スプレーガン１には、圧縮空気を供給するためのエアホース２が接続されている。スプレーガン１を用いて塗装対象物を塗装する際には、エアホース２の重量が操作者Ｘの手Ｍに直接作用するため、手Ｍが疲れやすいという問題があった。また、スプレーガン１を塗装対象物に近づけたときには、エアホース２が塗装対象物に接触するおそれがあるため、スプレーガン１の取り回しが良くないという問題があった。そのため、操作者Ｘは、スプレーガン１を握る手Ｍとは反対の手で、エアホース２を持つことがある（特許文献１の図２参照）。しかし、この場合には、当該手で塗装対象物を持ったり、塗装対象物の向きを変えたりすることができないため、作業性が良くないという問題があった。
【先行技術文献】
【特許文献】
【０００３】
【特許文献１】特許第５８０７２７８号公報
【０００４】
本願考案者は、これらの問題を解決すべく鋭意研究を重ねた結果、操作者Ｘのスプレーガン１を持つ側の腕Ｎでエアホース２を支持することを想到した。腕Ｎでエアホース２を支持すれば、手Ｍに作用するエアホース２の荷重を軽減できるので、手Ｍの疲労を軽減できる。また、エアホース２をスプレーガン１から離れた位置で支持できるので、スプレーガン１の取り回しが良くなる。さらに、スプレーガン１を握る手Ｍとは反対の手で塗装対象物を持ったり、塗装対象物の向きを変えたりすることができる。しかしながら、紐などの既存の取付具を用いてエアホース２を腕Ｎに取り付けることは、結ぶ作業などが必要となるため、容易ではなかった。
【考案の概要】
【０００５】
本考案は、上記問題を解決するためになされたものであり、支持対象物（例えば、エアホース）を支持部（例えば、操作者の腕）に容易に取り付けることができる取付具を提供することを目的とする。
【０００６】
上記目的を達成するため、本考案に係る取付具の特徴は、支持対象物を支持部に取り付けるための取付具であって、可撓性を有する細長い線状のバンド部と、前記バンド部の基端部に設けられた固定ヘッド部と、前記バンド部の基端部と先端部との間に前記バンド部の長さ方向において位置調整可能に設けられた可動ヘッド部とを備え、前記固定ヘッド部は、前記バンド部が前記支持対象物および前記支持部の一方の周囲に沿う第１環状部を構成するように曲げられた後にその先端部から挿通される第１貫通孔を有しており、前記可動ヘッド部は、前記第１貫通孔から引き出された前記バンド部がその先端部から挿通される第２貫通孔と、前記第２貫通孔から引き出された前記バンド部が前記支持対象物および前記支持部の他方の周囲に沿う第２環状部を構成するように曲げられた後にその先端部から挿通される第３貫通孔と、前記第３貫通孔において前記バンド部が挿通方向とは反対方向へ移動することを阻止する第１ロック部とを有していることにある。
【０００７】
この構成において、支持対象物を支持部に取り付ける際には、バンド部の先端部を第１貫通孔、第２貫通孔および第３貫通孔に順番に通すだけでよいので、支持対象物を支持部に容易に取り付けることができる。
【０００８】
本考案の他の特徴は、前記バンド部の表面には、複数の引っ掛かり部が長さ方向に連続的に並べて形成されており、前記第１ロック部は、前記複数の引っ掛かり部のいずれかに引っ掛かる第１ロック爪を有していることにある。
【０００９】
この構成では、第１ロック爪が引っ掛かる引っ掛かり部を選択することによって、支持対象物および支持部のサイズなどに応じてバンド部の有効長さを細かく調整することができる。
【００１０】
本考案の他の特徴は、前記固定ヘッド部は、前記第１貫通孔において前記バンド部が挿通方向とは反対方向へ移動することを阻止する第２ロック部を有しており、前記第２ロック部は、前記複数の引っ掛かり部のいずれかに引っ掛かる第２ロック爪を有していることにある。
【００１１】
この構成では、第１貫通孔において、バンド部がその挿通方向とは反対方向へ移動することを第２ロック部で阻止できるので、バンド部を支持対象物および支持部の一方の外面に緩むことなく密着させることができる。これにより、支持対象物および支持部の一方に対してバンド部の位置がずれることを防止できる。
【００１２】
本考案の他の特徴は、前記可動ヘッド部は、前記第２貫通孔において前記バンド部が挿通方向とは反対方向へ移動することを阻止する第３ロック部を有しており、前記第３ロック部は、前記複数の引っ掛かり部のいずれかに引っ掛かる第３ロック爪を有していることにある。
【００１３】
この構成では、第２貫通孔において、バンド部がその挿通方向とは反対方向へ移動することを第３ロック部で阻止できるので、バンド部を支持対象物および支持部の他方の外面に緩むことなく密着させることができる。これにより、支持対象物および支持部の他方に対してバンド部の位置がずれることを防止できる。
【００１４】
本考案の他の特徴は、前記第２貫通孔の横断面のサイズは、前記バンド部が挿通方向およびその反対方向へ移動することを許容するように前記バンド部の横断面のサイズよりも十分に大きくされていることにある。
【００１５】
この構成では、第２貫通孔において、バンド部の挿通方向およびその反対方向への移動が許容されているので、バンド部の第２環状部を構成する部分を締め過ぎることを抑制できるとともに、第２環状部の直径を容易に拡大することができる。
【００１６】
本考案の他の特徴は、前記第１貫通孔の横断面のサイズは、前記バンド部が挿通方向およびその反対方向へ移動することを許容するように前記バンド部の横断面のサイズよりも十分に大きくされていることにある。
【００１７】
この構成では、第１貫通孔において、バンド部の挿通方向およびその反対方向への移動が許容されているので、バンド部の第１環状部を構成する部分を締め過ぎることを抑制できるとともに、第１環状部の直径を容易に拡大することができる。
【００１８】
本考案の他の特徴は、前記支持対象物は、スプレーガンに圧縮空気を供給するためのエアホースであり、前記支持部は、前記スプレーガンを操作する操作者の腕であることにある。
【００１９】
この構成では、操作者の腕でエアホースを支持できるので、操作者の手に作用するエアホースの荷重を軽減でき、手の疲労を軽減できる。また、エアホースをスプレーガンから離れた位置で支持できるので、スプレーガンの取り回しを良くすることができる。
【図面の簡単な説明】
【００２０】
【図１】第１実施形態に係る取付具の使用状態を示す正面図である。
【図２】第１実施形態に係る取付具の構成を示す断面図である。
【図３】バンド部および固定ヘッド部の構成を示す図であり、（Ａ）は平面図、（Ｂ）は正面図、（Ｃ）は底面図である。
【図４】図３（Ａ）におけるIV-IV線断面図である。
【図５】可動ヘッド部の構成を示す図であり、（Ａ）は平面図、（Ｂ）は正面図、（Ｃ）は底面図である。
【図６】図５（Ａ）におけるVI-VI線断面図である。
【図７】第２実施形態に係る取付具の構成を示す断面図である。
【図８】第３実施形態に係る取付具の構成を示す断面図である。
【図９】第４実施形態に係る取付具の構成を示す断面図である。
【図１０】一般的なスプレーガンの使用状態を示す正面図である。
【考案を実施するための形態】
【００２１】
以下、本考案の一実施形態に係る取付具について図面を参照しながら説明する。
【００２２】
（第１実施形態の構成）
図１は、第１実施形態に係る取付具１０の使用状態を示す正面図である。図２は、取付具１０の構成を示す断面図である。図１に示すように、取付具１０は、スプレーガン１２に接続された「支持対象物」としてのエアホース１４を「支持部」としての操作者Ｘの腕Ｎに取り付けるためのものであり、バンド部１６と、固定ヘッド部１８と、可動ヘッド部２０とを備えている。
【００２３】
図３は、バンド部１６および固定ヘッド部１８の構成を示す図であり、（Ａ）は平面図、（Ｂ）は正面図、（Ｃ）は底面図である。図４は、図３（Ａ）におけるIV-IV線断面図である。図３（Ａ），（Ｂ），（Ｃ）に示すように、バンド部１６は、ポリエチレン、ナイロン、ポリプロピレンなどの合成樹脂によって、可撓性を有する細長い線状に形成されている。本実施形態のバンド部１６は、先端部１６ｂを除いて、一定の厚みおよび一定の幅を有する帯状に形成されている。先端部１６ｂは、先方に向かうにつれて厚さが薄くなり、かつ、幅が狭くなるように形成されている。
【００２４】
図３（Ｂ），（Ｃ）に示すように、バンド部１６の表面Ｓを構成する一方の主面１６ｃには、複数の引っ掛かり部２２が長さ方向に連続的に並べて鋸刃状に形成されている。複数の引っ掛かり部２２のそれぞれは、主面１６ｃに対して垂直となるストッパー面２２ａと、主面１６ｃに対して傾斜する傾斜面２２ｂとを有している。各引っ掛かり部２２のストッパー面２２ａは、基端部１６ａ側に向けられている。
【００２５】
図３（Ａ），（Ｂ），（Ｃ）および図４に示すように、固定ヘッド部１８は、ポリエチレン、ナイロン、ポリプロピレンなどの合成樹脂によって直方体状に形成されており、バンド部１６の基端部１６ａに一体的に設けられている。
【００２６】
図４に示すように、固定ヘッド部１８は、自然状態におけるバンド部１６の主面１６ｃに対して直交する方向に延びる貫通孔２４と、貫通孔２４においてバンド部１６が挿通方向とは反対方向へ移動することを阻止するロック部２６とを有している。なお、貫通孔２４は、本願発明の「第１貫通孔」に対応しており、ロック部２６は、本願発明の「第２ロック部」に対応している。
【００２７】
図４に示すように、ロック部２６は、貫通孔２４の内部に径方向へ弾性変形可能に形成されたバネ部２８と、バンド部１６に形成された複数の引っ掛かり部２２のいずれかに引っ掛かる少なくとも１つ（本実施形態では３つ）のロック爪３０とを有している。バネ部２８は、貫通孔２４の内部にバンド部１６の先端部１６ｂを導くためのガイド面２８ａを有しており、ガイド面２８ａは、入口２４ａを広く確保するように湾曲して形成されている。なお、ロック爪３０は、本願発明の「第２ロック爪」に対応している。
【００２８】
図４に示すように、本実施形態では、ロック部２６が３つのロック爪３０を有しており、各ロック爪３０は、バネ部２８の表面に貫通孔２４の貫通方向に連続的に並べて鋸刃状に形成されている。各ロック爪３０は、貫通孔２４の貫通方向に対して垂直となるストッパー面３０ａと、貫通孔２４の貫通方向に対して傾斜する傾斜面３０ｂとを有しており、各ロック爪３０のストッパー面３０ａは、貫通孔２４の出口２４ｂ側に向けられている。なお、ロック爪３０の数は少なくとも１つであればよく、１つまたは２つであってもよいし、４つ以上であってもよい。
【００２９】
図２に示すように、取付具１０においては、バンド部１６がエアホース１４の周囲に沿う第１環状部Ｒ１を構成するように曲げられており、このバンド部１６が先端部１６ｂから固定ヘッド部１８の貫通孔２４に挿通されている。
【００３０】
図５は、可動ヘッド部２０の構成を示す図であり、（Ａ）は平面図、（Ｂ）は正面図、（Ｃ）は底面図である。図６は、図５（Ａ）におけるVI-VI線断面図である。図２に示すように、可動ヘッド部２０は、バンド部１６の基端部１６ａと先端部１６ｂとの間に、バンド部１６の長さ方向において位置調整可能に設けられた部材であり、ポリエチレン、ナイロン、ポリプロピレンなどの合成樹脂によって直方体状に形成されている。
【００３１】
図５（Ａ），（Ｂ），（Ｃ）および図６に示すように、可動ヘッド部２０は、図２に示す固定ヘッド部１８の貫通孔２４から引き出されたバンド部１６がその先端部１６ｂから挿通される貫通孔３４と、この貫通孔３４から引き出されたバンド部１６が操作者Ｘの腕Ｎ（図２）の周囲に沿う第２環状部Ｒ２を構成するように曲げられた後にその先端部１６ｂから挿通される貫通孔３６とを有している。なお、貫通孔３４は、本願発明の「第２貫通孔」に対応しており、貫通孔３６は、本願発明の「第３貫通孔」に対応している。
【００３２】
また、可動ヘッド部２０は、貫通孔３４においてバンド部１６（図２）が挿通方向とは反対方向へ移動することを阻止するロック部３８と、貫通孔３６においてバンド部１６（図２）が挿通方向とは反対方向へ移動することを阻止するロック部４０とを有している。本実施形態では、ロック部３８とロック部４０とが互いに回転対称となるように形成されており、これらが互いに反対方向に向けられている。なお、ロック部３８は、本願発明の「第３ロック部」に対応しており、ロック部４０は、本願発明の「第１ロック部」に対応している。
【００３３】
図６に示すように、可動ヘッド部２０の一方のロック部３８は、貫通孔３４の内部に径方向へ弾性変形可能に形成されたバネ部４２と、バンド部１６に形成された複数の引っ掛かり部２２（図２）のいずれかに引っ掛かる少なくとも１つ（本実施形態では３つ）のロック爪４４とを有している。バネ部４２は、貫通孔３４の内部にバンド部１６の先端部１６ｂを導くためのガイド面４２ａを有しており、ガイド面４２ａは、入口３４ａを広く確保するように湾曲して形成されている。なお、ロック爪４４は、本願発明の「第３ロック爪」に対応している。
【００３４】
図６に示すように、本実施形態では、ロック部３８が３つのロック爪４４を有しており、各ロック爪４４は、バネ部４２の表面に貫通孔３４の貫通方向に連続的に並べて鋸刃状に形成されている。各ロック爪４４は、貫通孔３４の貫通方向に対して垂直となるストッパー面４４ａと、貫通孔３４の貫通方向に対して傾斜する傾斜面４４ｂとを有しており、各ロック爪４４のストッパー面４４ａは、貫通孔３４の出口３４ｂ側に向けられている。なお、ロック爪４４の数は少なくとも１つであればよく、１つまたは２つであってもよいし、４つ以上であってもよい。
【００３５】
図６に示すように、可動ヘッド部２０の他方のロック部４０は、貫通孔３６の内部に径方向へ弾性変形可能に形成されたバネ部４６と、バンド部１６に形成された複数の引っ掛かり部２２（図２）のいずれかに引っ掛かる少なくとも１つ（本実施形態では３つ）のロック爪４８とを有している。バネ部４６は、貫通孔３６の内部にバンド部１６の先端部１６ｂを導くためのガイド面４６ａを有しており、ガイド面４６ａは、入口３６ａを広く確保するように湾曲して形成されている。なお、ロック爪４８は、本願発明の「第１ロック爪」に対応している。
【００３６】
図６に示すように、本実施形態では、ロック部４０が３つのロック爪４８を有しており、各ロック爪４８は、バネ部４６の表面に貫通孔３６の貫通方向に連続的に並べて鋸刃状に形成されている。各ロック爪４８は、貫通孔３６の貫通方向に対して垂直となるストッパー面４８ａと、貫通孔３６の貫通方向に対して傾斜する傾斜面４８ｂとを有しており、各ロック爪４８のストッパー面４８ａは、貫通孔３６の出口３６ｂ側に向けられている。なお、ロック爪４８の数は少なくとも１つであればよく、１つまたは２つであってもよいし、４つ以上であってもよい。
【００３７】
図２に示すように、取付具１０においては、固定ヘッド部１８の貫通孔２４から引き出されたバンド部１６が、貫通孔３４に挿通されている。また、貫通孔３４から引き出されたバンド部１６が、操作者Ｘの腕Ｎの周囲に沿う第２環状部Ｒ２を構成するように曲げられた後に、その先端部１６ｂから貫通孔３６に挿通されている。
【００３８】
（第１実施形態の使用方法）
図２に示すように、取付具１０を用いて「支持対象物」としてのエアホース１４を「支持部」としての操作者Ｘの腕Ｎに取り付ける際には、まず、バンド部１６をエアホース１４（支持対象物）の周囲に沿う第１環状部Ｒ１を構成するように曲げた後、このバンド部１６を先端部１６ｂから固定ヘッド部１８の貫通孔２４（第１貫通孔）に挿通させる。このとき、エアホース１４（支持対象物）を強固に保持する必要があれば、バンド部１６を強く締め付けてエアホース１４に密着させる。
【００３９】
続いて、貫通孔２４（第１貫通孔）から引き出されたバンド部１６をその先端部１６ｂから可動ブロック部２０の一方の貫通孔３４（第２貫通孔）に挿通させる。このとき、バンド部１６を貫通孔３４（第２貫通孔）に挿通させる長さを調整することによって、バンド部１６における可動ブロック部２０の位置を調整することができる。
【００４０】
その後、貫通孔３４（第２貫通孔）から引き出されたバンド部１６を、操作者Ｘの腕Ｎ（支持部）の周囲に沿う第２環状部Ｒ２を構成するように曲げた後に、その先端部１６ｂから貫通孔３６（第３貫通孔）に挿通させる。
【００４１】
（第１実施形態の効果）
本実施形態によれば、上記構成により、以下の各効果を奏することができる。すなわち、図２に示すように、エアホース１４を操作者Ｘの腕Ｎに取り付ける際には、バンド部１６の先端部１６ｂを固定ヘッド部１８の貫通孔２４、可動ヘッド部２０の一方の貫通孔３４および他方の貫通孔３６に順番に通すだけでよいので、取付作業を容易に行うことができる。
【００４２】
図２に示すように、バンド部１６の表面Ｓには、複数の引っ掛かり部２２が長さ方向に連続的に並べて形成されており、可動ヘッド部２０のロック部４０は、複数の引っ掛かり部２２のいずれかに引っ掛かるロック爪４８を有している。したがって、ロック爪４８が引っ掛かる引っ掛かり部２２を選択することによって、エアホース１４および腕Ｎのサイズなどに応じてバンド部１６の有効長さを細かく調整することができる。
【００４３】
図２に示すように、固定ヘッド部１８の貫通孔２４では、バンド部１６が挿通方向とは反対方向へ移動することをロック部２６で阻止できるので、バンド部１６をエアホース１４に緩むことなく密着させることができる。これにより、エアホース１４に対してバンド部１６の位置がずれることを防止できる。
【００４４】
図２に示すように、可動ヘッド部２０の貫通孔３４では、バンド部１６が挿通方向とは反対方向へ移動することをロック部３８で阻止できるので、バンド部１６を腕Ｎに緩むことなく密着させることができる。これにより、腕Ｎに対してバンド部１６の位置がずれることを防止できる。
【００４５】
図１に示すように、スプレーガン１２のエアホース１４を操作者Ｘの腕Ｎで支持することができるので、操作者Ｘの手Ｍに作用するエアホース１４の荷重を軽減でき、手Ｍの疲労を軽減できる。また、エアホース１４をスプレーガン１２から離れた位置で支持できるので、スプレーガン１２の取り回しを良くすることができる。
【００４６】
（第１実施形態の変更例）
なお、本考案の実施にあたっては、上記実施形態に限定されず、本考案の目的を逸脱しない限りにおいて種々の変更が可能である。例えば、図１に示すように、上記実施形態では、スプレーガン１２のエアホース１４を「支持対象物」としているが、「支持対象物」は、エアホース１４に限定されるものではなく、工具や刃物などでもよい。また、上記実施形態では、操作者Ｘの腕Ｎを「支持部」としているが、「支持部」は、腕Ｎに限定されるものではなく、操作者Ｘの胴体や胴体に巻かれたベルトなどでもよい。上記実施形態のバンド部１６、固定ヘッド部１８および可動ヘッド部２０のそれぞれのサイズは、「支持対象物」および「支持部」の種類やサイズなどに応じて適宜変更されてもよい。
【００４７】
図２に示すように、上記実施形態では、第１環状部Ｒ１がエアホース１４（支持対象物）の周囲に配置され、かつ、第２環状部Ｒ２が腕Ｎ（支持部）の周囲に配置されているが、これらの位置は逆にされてもよい。つまり、第１環状部Ｒ１が腕Ｎ（支持部）の周囲に配置され、かつ、第２環状部Ｒ２がエアホース１４（支持対象物）の周囲に配置されてもよい。
【００４８】
図２に示すように、上記実施形態では、「第１ロック部」としてのロック部４０、「第２ロック部」としてのロック部２６および「第３ロック部」としてのロック部３８のそれぞれが、同じ形状およびサイズで形成されているが、これらは、互いに異なる形状およびサイズで形成されてもよい。
【００４９】
図２に示すように、上記実施形態では、バンド部１６の表面Ｓに複数の引っ掛かり部２２が長さ方向に連続的に並べて形成されているが、複数の引っ掛かり部２２は、互いに間隔を隔てて間欠的に形成されてもよい。
【００５０】
（第２実施形態の構成）
図７は、第２実施形態に係る取付具５０の構成を示す断面図である。図７に示す取付具５０では、可動ヘッド部２０の貫通孔３４（第２貫通孔）においてバンド部１６が挿通方向およびその反対方向へ移動することを許容するように、貫通孔３４（第２貫通孔）にロック部は形成されておらず、貫通孔３４（第２貫通孔）の横断面のサイズがバンド部１６の横断面のサイズよりも十分に大きくされている。したがって、バンド部１６の第２環状部Ｒ２を構成する部分を締め過ぎることを抑制できるとともに、第２環状部Ｒ２の直径を容易に拡大することができる。これにより、第２環状部Ｒ２を操作者Ｘの腕Ｎ（図１）の周囲に配置したときには、腕Ｎを容易に離脱させることができる。また、第２環状部Ｒ２を変形し易い部材（図示省略）の周囲に配置したときには、当該部材の変形を防止できる。
【００５１】
（第３実施形態の構成）
図８は、第３実施形態に係る取付具５２の構成を示す断面図である。図８に示す取付具５２では、固定ヘッド部１８の貫通孔２４（第１貫通孔）においてバンド部１６が挿通方向およびその反対方向へ移動することを許容するように、貫通孔２４（第１貫通孔）にロック部は形成されておらず、貫通孔２４（第１貫通孔）の横断面のサイズがバンド部１６の横断面のサイズよりも十分に大きくされている。したがって、バンド部１６の第１環状部Ｒ１を構成する部分を締め過ぎることを抑制できるとともに、第１環状部Ｒ１の直径を容易に拡大することができる。これにより、第１環状部Ｒ１を操作者Ｘの腕Ｎ（図１）の周囲に配置したときには、腕Ｎを容易に離脱させることができる。また、第１環状部Ｒ１を変形し易い部材（図示省略）の周囲に配置したときには、当該部材の変形を防止できる。
【００５２】
（第４実施形態の構成）
図９は、第４実施形態に係る取付具５４の構成を示す断面図である。図９に示す取付具５４では、貫通孔２４（第１貫通孔）および貫通孔３４（第２貫通孔）にロック部は形成されておらず、貫通孔２４（第１貫通孔）および貫通孔３４（第２貫通孔）のそれぞれの横断面のサイズがバンド部１６の横断面のサイズよりも十分に大きくされている。したがって、バンド部１６の第１環状部Ｒ１および第２環状部Ｒ２のそれぞれを構成する部分を締め過ぎることを抑制できるとともに、第１環状部Ｒ１および第２環状部Ｒ２のそれぞれの直径を容易に拡大することができる。
【符号の説明】
【００５３】
Ｘ…操作者、Ｎ…腕（支持部）、Ｒ１…第１環状部、Ｒ２…第２環状部、
１０…取付具、１４…エアホース（支持対象物）、１６…バンド部、
１６ａ…基端部、１６ｂ…先端部、１８…固定ヘッド部、
２０…可動ヘッド部、２４…貫通孔（第１貫通孔）、
２６…ロック部（第２ロック部）、３４…貫通孔（第２貫通孔）、
３６…貫通孔（第３貫通孔）、３８…ロック部（第３ロック部）、
４０…ロック部（第１ロック部）。
【図１】
0003216264.tif 000003
【図２】
0003216264.tif 000004
【図３】
0003216264.tif 000005
【図４】
0003216264.tif 000006
【図５】
0003216264.tif 000007
【図６】
0003216264.tif 000008
【図７】
0003216264.tif 000009
【図８】
0003216264.tif 000010
【図９】
0003216264.tif 000011
【図１０】
0003216264.tif 000012